(57)【要約】      （修正有）【課題】特に非漢字文化圏の言語を利用する個々の購買者と商品提供者との関係で名前を漢字に置き換えるにあたって、購買者独自のものを提案しながら選択できるようにする。【解決手段】個別デザイン表記Ｐを具えたアパレル用品等の商品Ｇは、商品本体の一部に、漢字が記された加飾部を具え、且つこの漢字は、ユーザー毎にその名称を含む漢字文化圏外における個人表示の表音当て字が選別されている。【選択図】図２
0003136719.tif 000002
【実用新案登録請求の範囲】
【請求項１】
商品本体の一部に、漢字が記された加飾部を具え、且つこの漢字は、ユーザー個人の要望に応じた漢字文化圏外における当該ユーザーの個人表示の表音当て字が選択されていることを特徴とする個別デザイン表記を具えたアパレル用品。
【請求項２】
前記商品本体は、Ｔシャツ、ブルゾン、コート、スウェット、アンダーウェア、パーカー、パンツ、アンダーウェア、スポーツトランクス、靴、キャップ、バッグ、ストラップ、ワッペン、ステッカー、バンダナであることを特徴とする請求項１記載の個別デザイン表記を具えたアパレル用品。
【請求項３】
前記商品本体は、ユーザー毎の発注に応じて、供給者が製作し提供するものであることを特徴とする請求項１または２記載の個別デザイン表記を具えたアパレル用品。
【請求項４】
前記ユーザーと供給者との間では、通信回線網を利用したコミュニケーションが図られ、ユーザーの登録に応じた漢字表記を供給者が提示し、表音当て字として使用する漢字が決定されることを特徴とする請求項１、２または３記載の個別デザイン表記を具えたアパレル用品。
【請求項５】
前記表音当て字として使用する漢字が決定される際に、更にその字体も決定されるものであることを特徴とする請求項１、２、３または４記載の個別デザイン表記を具えたアパレル用品。
【請求項６】
前記商品本体またはその包装体または同封品には、決定された漢字の意味が英語またはユーザーの希望する言語により表示されたキャプション表示がされていることを特徴とする請求項１記載の個別デザイン表記を具えたアパレル用品。
【請求項７】
前記キャプション表示は、商品本体の漢字における適宜の横行部位に沿って設けられていることを特徴とする請求項６記載の個別デザイン表記を具えたアパレル用品。
【考案の詳細な説明】
【技術分野】
【０００１】
本考案は、購買者の個々の要望に応じた漢字入りのデザインを施した衣服等に関するものである。
【背景技術】
【０００２】
近年、日本のアニメーションやビデオゲームなどのコンテンツ商品が世界規模で流通されるようになり、一定の評価がされて浸透している。このような状況の中、特に欧米をはじめ非漢字文化圏の若者を中心に、我が国のコンテンツ商品を連想させるとして漢字表記のデザインを施したＴシャツ等が流行しつつある。
目下のところ、これらは既存の漢字熟語等をプリントしたものにとどまっているが、一歩興味を進めて、自己（購買者自身）の姓名の発音が漢字表記し得ることに着眼した購買者にとっては、自らの個人名を漢字に置き換えたデザインを求めており、このような商品も種々企画されている。
【０００３】
しかしながら、多くは商業的採算もあって、一定の購買者数が予測される比較的ポピュラーな名前を選択し、その発音漢字を当てはめたプリントを施したものにとどまっている。
また、この種の漢字デザインを施した商品を求める購買者の嗜好としては、当然個性の発現を求めており、そうなると個々の独自性を兼ね備えた表記デザインを求める傾向となっている。
このようなものは、従来から商業的なものは存在せず、単に個人的な行為でＴシャツ等に日本人等がサインするいわば一品製作の感覚で表記する程度にとどまっていた。
【考案の開示】
【考案が解決しようとする課題】
【０００４】
本考案は、このような状況を考慮してなされたものであって、特に非漢字文化圏の言語を利用する個々の購買者と商品提供者との関係で名前を漢字に置き換えるにあたって、購買者独自のものを提案しながら選択できるようにしたものである。
【課題を解決するための手段】
【０００５】
請求項１記載の個別デザイン表記を具えたアパレル用品は、商品本体の一部に、漢字が記された加飾部を具え、且つこの漢字は、ユーザー個人の要望に応じた漢字文化圏外における当該ユーザーの個人表示の表音当て字が選択されていることを特徴として成るものである。
【０００６】
請求項２記載の個別デザイン表記を具えたアパレル用品は、前記要件に加え、前記商品本体については、Ｔシャツ、ブルゾン、コート、スウェット、アンダーウェア、パーカー、パンツ、アンダーウェア、スポーツトランクス、靴、キャップ、バッグ、ストラップ、ワッペン、ステッカー、バンダナであることを特徴として成るものである。
【０００７】
請求項３記載の個別デザイン表記を具えたアパレル用品は、前記要件に加え、前記商品本体については、ユーザー毎の発注に応じて、供給者が製作し提供するものであることを特徴として成るものである。
【０００８】
請求項４記載の個別デザイン表記を具えたアパレル用品は、前記要件に加え、前記ユーザーと供給者との間では、通信回線網を利用したコミュニケーションが図られ、ユーザーの登録に応じた漢字表記を供給者が提示し、表音当て字として使用する漢字が決定されることを特徴として成るものである。
【０００９】
請求項５記載の個別デザイン表記を具えたアパレル用品は、前記要件に加え、前記表音当て字として使用する漢字が決定される際に、更にその字体も決定されるものであることを特徴として成るものである。
【００１０】
請求項６記載の個別デザイン表記を具えたアパレル用品は、前記要件に加え、前記商品本体またはその包装体または同封品には、決定された漢字の意味が英語またはユーザーの希望する言語により表示されたキャプション表示がされていることを特徴として成るものである。
【００１１】
請求項７記載の個別デザイン表記を具えたアパレル用品は、前記要件に加えて、前記キャプション表示は、商品本体の漢字における適宜の横行部位に沿って設けられていることを特徴として成るものである。
【考案の効果】
【００１２】
まず請求項１記載の考案によれば、個人の名称の表音に因んだ漢字という異文化を適切に取り込んだファッションが得られ自己表現の一手法として用いることができる。
【００１３】
また請求項２記載の考案によれば、日常的に用いられるものであって、自己表現が容易に行うことができる。
【００１４】
また請求項３記載の考案によれば、特に自己の名称の表音に対応し、発音の近似する漢字を選択したものを用いて漢字表示を施すことができるので、極めて珍しい名称であったとしても漢字表記を生成することができるので、口頭で伝えることができる名称であれば漢字表示を施すことができる。
【００１５】
また請求項４記載の考案によれば、インターネット等を用いることによって、漢字文化圏でない外国の利用者であっても容易に本考案の個別デザイン表記を具えたアパレル用品を購入することができる。
【００１６】
また請求項５記載の考案によれば、漢字の書体を自由に選択することができるので、好みの個別デザイン表記を作成することができる。
【００１７】
また請求項６記載の考案によれば、漢字の意味内容が希望の言語で追記されていることから、漢字のデザインのみならず意味内容をも理解することができ、更なる自己表現が可能となる。
【考案を実施するための最良の形態】
【００１８】
本考案を実施するための最良の形態は、以下述べる実施例をその一つとするものであると共に、この技術思想に基づく種々の改良した実施例も含むものである。
【実施例】
【００１９】
以下、本考案を図示の実施例に基づいて具体的に説明する。
まず符号Ｓで示すものが、本考案である個別デザイン表記を具えたアパレル用品である商品Ｇを提供するためのシステムである。
このものは、本アパレル用品等の商品Ｇを製作し発送する受注生産者側である受注生産システム１と、このアパレル用品の仕様内容を決定して申し込みを行う発注者であるユーザー（購入者）側の発注システム２とを主な構成としてなる。
【００２０】
まずこの受注生産システム１には、図１に示すように後述する発注システム２からの要求に応じながら商品の受注内容を管理するオーダーシステム１１と、商品の受注仕様に関するデータを管理提供する仕様情報データベース１２と、確定した受注内容を希望の商品に対して表示加工するための出力加工装置１５と、加工済み商品を発送するための発送手段１６とにより構成されるものである。
このオーダーシステム１１は、離れた海外からの利用者を想定していることから一例としてインターネットなどの通信回線に接続されているものであって、通常のパソコン２０などの情報端末に具えられているネットブラウザ２１から閲覧操作が可能なＷｅｂ形式の注文用インターフェイスを提供する機能を有するものである。
【００２１】
このオーダーシステム１１のＷｅｂ形式の注文用インターフェイスである注文画面１１ａには、発注者であるユーザーＵに対し、仕様情報データベース１２より提供された加工態様を指定する設定情報１３と、この内容に応じて表示加工された場合の商品Ｇ予想図とを併せて表示できるようにしたものである。
一例として図３に示した注文画面１１ａによれば、ユーザーＵは、画面上に選択的に表示された設定情報１３と、これに応じた表示加工態様とを確認しながら表示加工内容の決定することができる。
この仕様情報データベース１２に管理されている設定情報１３には、例えば他の言語における発音とこれに近似する日本語の漢字とを関連付けた表音漢字変換情報１３ａや、変換した漢字の意味を他の言語に記した漢字辞書情報１３ｂや、漢字の表記の書体、大きさ、色を記した書体情報１３ｃや、配置位置や加工対象などを示す出力情報１３ｄが該当する。
また既存の技術であることから詳細な説明は省くが、受注生産システム１のオーダーシステム１１には電子メールの送受信機能を有しており、受注の確定内容等を発注者であるユーザーに対して通知するなどの連絡を行うことが可能である。
【００２２】
次に商品に個別デザイン表記Ｐを施すための出力加工装置１５について説明する。
このものは、オーダーシステム１１に記録されているユーザーＵが選択決定した設定情報１３の内容にしたがって未加工状態の商品Ｇに個別デザイン表記Ｐを施すものであり、この出力加工装置１５の一例としては、商品Ｇの形態に応じてシルクスクリーン印刷装置１５ａや、図示を省略するが刺繍加工装置、シート用プリント装置、彫刻装置、レーザ刻印装置、ショットブラスト加工装置などが該当する。なお、この出力加工装置１５が担う一部の出力加工（例えば漢字表記部分）を、より一品生産的な意味合いを強くさせるために人間による手作業で行っても差し支えない。ここで言う人間による手作業とは、一例として書道家などに直接商品に対して漢字表記を筆等により描くことや、後述する落款等を追加することなどである。
なおこれらの出力加工装置１５は、受け取った設定情報１３を符号化された信号としてそのまま受信入力し、出力加工を行うタイプのもののほかに、オペレーターが設定情報１３の内容に応じて出力加工装置１５の調整を行う手法を用いることも差し支えない。
【００２３】
次にユーザーＵ側の発注システム２について、主要なタイプのものについて説明する。
この発注システム２とは、前述した製作システムＳの受注生産システム１のオーダーシステム１１に対して双方向の通信が行えることを特徴とするものであって、その機能を有している機器であれば、その形態、規模などの差異があったとしても差し支えない。
なお本実施においては、現在のパソコン２０の普及状況を考慮し、このパソコン２０を利用した発注システム２について簡単に説明する。
まずこのタイプの発注システム２は、具体的にはパソコン２０がその機能を担うものである。そしてこのパソコン２０は、各種の通信回線Ｎ、接続事業者を用いてインターネットサービスの提供を受けられる環境におかれ、インターネット上で用いられる各種通信プロトコルに対応したいわゆるインターネットブラウザ（以下ネットブラウザ２１という）と呼ばれるアプリケーション、更には電子メール機能とを具えているものである。なおこれらの構成は、既存の技術であることから説明は省略する。
【００２４】
次にユーザーＵが求める商品Ｇについて説明する。
このものは、背景技術で触れたように自己のオリジナリティを発現させる意義を有することから、図９に示すようにＴシャツｇ１のほかにも、ブルゾンｇ２、コートｇ３、スウェットｇ４、パーカー、チノやデニムなどのパンツｇ５、アンダーウェアｇ６などの衣料品や、またスニーカーｇ７などの装飾品などが好ましい。
なお請求項の中に示される加飾部とは、これら商品Ｇの種類に応じて表示加工を行うことができる範囲を指し示すものである。
以上述べたものは、本考案のアパレル用品等の商品Ｇを製作するための製作システムＳであって、以下この製作システムＳの稼動態様を順次説明しながら、併せて個別デザイン表記Ｐを具えたアパレル用品等の商品Ｇについて説明する。
【００２５】
〔Ａ．受注生産システム１の準備ステップ〕
はじめに本考案の個別デザイン表記Ｐを具えたアパレル用品に関する表示加工に具えて各装置の設定を行う。
まず受注生産システム１の設定としては、注文の内容等を送信提供するためのアプリケーションの設定、通信環境の設定を適宜行い、インターネットを用いる場合であれば、Ｗｅｂサイトを立ち上げて、ユーザーＵが接続し、閲覧が行える状態にする。
更に仕様情報データベース１２については、ユーザーＵに提供のできる商品の表示加工に関する種々の設定情報１３を予め登録する。具体的には、利用できる漢字の書体や、利用できる表示手法（例えばシルクスクリーン印刷、刺繍、アイロン式パッチ、レーザ加工、ショットブラスト加工）や、文字の色、大きさ、レイアウトなどの情報などである。
なお製作システムＳを構成する各装置は、必ずしも一箇所に集約して設置する必要はなく、受注生産システム１から出力加工装置１５までが通信回線Ｎ等を用いて相互に通信可能な状態にあればそれぞれ異なる場所に設置していても差し支えない。
【００２６】
〔Ｂ．製作注文の受注ステップ〕
この製作注文の受注の方法に関しては、インターネット環境を用いる場合、ユーザーＵが自らパソコン２０を操作し、製作システムＳの受注生産システム１の提供するＷｅｂサイトに接続することから始まる。そして接続したユーザーＵは、順次希望の表示加工の詳細を選択決定する。一方、製作システムＳの受注生産システム１は、ユーザーＵから指定された種々の設定情報１３の結果を記録し、出力加工装置１５に対して、その内容を送信する。
【００２７】
以下、その一例として本実施例における具体的な手順を説明する。
まず図３に示すネットブラウザ２１に表示された受注生産システム１のオーダーシステム１１の注文画面１１ａによって、ユーザーＵ自らが表示加工商品、その個別デザイン表記Ｐの素材となる個別情報ｉを順次入力してゆく。この個別情報ｉとは、自国語における自己表示ｉ１、その表音を示す発音記号ｉ２、漢字に置き換える際の漢字選択傾向ｉ３（具体例は、女性らしい、優美、力強い、複雑な文字、簡素な文字など）などが含まれる。
受注生産システム１は、この入力された個別情報ｉに対して予め登録しておいた設定情報１３（表音漢字変換情報１３ａ、漢字辞書情報１３ｂ、書体情報１３ｃ、出力情報１３ｄ）から、それらの希望に適合した漢字を抽出し、注文画面に表示する。
この際、図３のように発音記号ｉ２に対応する漢字を表示するとともに、その漢字の意味内容を、仕様情報データベース１２の漢字辞書情報１３ｂから抽出し、ユーザーＵの用いる言語で表示する。
そしてユーザーＵは、これらの抽出され表示されている候補の漢字群から、その漢字の形態・イメージや、その意味内容を考慮しながら選択決定し、その表示加工の形態を指定する。表示加工の形態とは、請求項１でいう加飾部の形態であり、漢字表示Ｐ１、源言語表示Ｐ２についての文字の書体、配置、漢字の意味内容を示したキャプションＰ３の表示の有無、落款をモチーフにしたマークＰ４などにより構成され、この設定の内容が書体情報１３ｃ、出力情報１３ｄとして取り扱われる。なお源言語表示Ｐ２とは、主に変換元となる日本語以外の言語を示すものであるが、後述するように漢字表示Ｐ１の補助的な表示として用いる場合もある。
【００２８】
以下具体的な表示加工の種々の形態を図示しながら説明する。
まず図４に示すものは、出力情報１３ｄの要素の表示位置を異ならせたものであり、（ａ）は横書きタイプであり、（ｂ）は斜め書きタイプである。また図４（ｃ）は、一例としてＴシャツｇ１の表裏にわたって表示した両面タイプのものである。
また図５に示すものは、表示の一部である源言語表示Ｐ２の変換元の言語による個別表示を削除して、更に漢字を用いた補助的な表示とした源言語表示Ｐ２や、あるいは源言語における表音に即した平仮名を付記した源言語表示Ｐ２（図５（ａ））や、片仮名を付記した源言語表示Ｐ２（図５（ｂ））としても差し支えない。
なお受注生産システム１のオーダーシステム１１は、ユーザーＵが操作している際に、随時その選択決定された設定情報１３に対応した表示加工の完成予想状態を図３に示すように表示させることも好ましい。また商品と代金の受け渡しについては、通常はいわゆる通信販売と呼ばれる取引形態で行うことから、この受注ステップにおいて、商品の発送先、発送手段、支払い方法などの情報を併せて入力することが好ましく、この受注ステップで確定した内容についても、受注生産システム１の電子メール機能を用いて、ユーザーＵに対して通知するようにしても差し支えない。
【００２９】
〔Ｃ．表示加工ステップ〕
次に表示加工ステップは、前段の製作注文の受注ステップで決定された設定情報１３に基づいて、商品Ｇに対して個別デザイン表記Ｐを施すための作業を行う。
本実施例においては、受注生産システム１に記録された設定情報１３は、電気的信号の状態で出力加工装置１５に送られて、未加工状態の商品Ｇに対して表示加工がなされる。
【００３０】
〔Ｄ．発送精算ステップ〕
次に発送精算ステップは、加工表示された商品を発注したユーザーＵに対して発送作業を行うと共にその精算を行うものである。
なお発送手法は、上述した受注ステップで指定した方法で指定した住所に発送する。またユーザーＵは、予め指定した支払い方法でその商品代金を支払うこととなる。
【００３１】
〔他の実施例〕
本考案は以上述べた実施の形態を一つの基本的な技術思想とするものであるが、更に次のような改変が考えられる。
〔個別デザイン表記Ｐのバリエーション〕
上述の図１、２に示した基本的な実施例での個別デザイン表記Ｐのレイアウトのほか、図６に示すような種々のバリエーションも可能である。
例えば図６（ａ）（ｂ）に示すものは、表意文字である漢字を用いずに、日本文化特有の平仮名、片仮名を用いたものであり、図６（ｃ）（ｄ）に示すものは、漢字、平仮名、片仮名、多言語表記とを組合わせたものである。
更にまた図７に示す個別デザイン表記Ｐは、メッセージ性を高めるなどの補足表示Ｐ５を追加したものである。このほかの補足表示Ｐ５としては、表音記号、製品の製造番号などの生産管理表示などを用いることも差し支えない。
【００３２】
〔個別デザイン表記Ｐに用いられる漢字書体のバリエーション〕
また上述した実施例においては、その書体に関するデータは、予め仕様情報データベース１２内に登録されたものであり、図８に示すように種々の書体を用いた表示加工を施すことができる。
一方で予め登録されているデータを用いて個別デザイン表記Ｐを行っているために、その表現手法にも一定の限界がある。
そのため、更に独自性や創作性を高めるべく、個別デザイン表記Ｐの漢字を書道家によって漢字の構成部分を書き出されたものを組み合わせるように用いて、表示加工を施す手法も可能である。
また言うまでもないが、漢字平仮名、片仮名のほかに日本文化の特有でもあるいわゆる顔文字、アスキーアートなどを適用することも差し支えない。
また用いる漢字の書体の一例として、現在の漢字に関連し、その書体に象形的な要素を強く持つ亀甲獣骨文字やトンバ文字（東巴文字）を用いることも差し支えない。
【００３３】
〔個別デザイン表記Ｐを施す商品のバリエーション〕
更に上述した商品Ｇは、図９に示すように基本的に衣料や身装品を中心に述べてきたが、更に日常の身回り品などに個別デザイン表記Ｐを施すことも可能であることは言うまでもない。
具体的には、図１０（ａ）に示すベースボールキャップｇ８、（ｂ）に示すバックｇ９、（ｃ）に示すキャディバックｇ１０、（ｄ）に示すリングｇ１１、（ｅ）に示すスタンプｇ１２、（ｆ）に示すキーホルダーまたはストラップｇ１３、（ｇ）ワッペンｇ１４に示すなどの商品にも適用できる。更に図示は省略するが、ステッカー、バンダナ、扇子などの商品に個別デザイン表記Ｐを施すことが可能である。
【図面の簡単な説明】
【００３４】
【図１】本考案の個別デザイン表記を具えたアパレル用品を製作するシステムを概念的に示す説明図である。
【図２】本考案の個別デザイン表記を具えたアパレル用品のＴシャツを示す説明図、並びに漢字表示の意味を表しているキャプション表示を示した一部拡大図である。
【図３】本考案の個別デザイン表記を具えたアパレル用品の形態を示した説明図と、その製作の詳細内容について入力状態を説明する図である。
【図４】本考案の個別デザイン表記を具えたアパレル用品の表記に関する種々のバリエーションを示す平面図である。
【図５】本考案の個別デザイン表記に関する種々のバリエーションを示す平面図である。
【図６】本考案の個別デザイン表記に関する種々のバリエーションを示す平面図である。
【図７】本考案の個別デザイン表記にメッセージ性を含めた種々のバリエーションを示す平面図である。
【図８】本考案の個別デザイン表記の文字の書体に関する種々のバリエーションを示す平面図である。
【図９】本考案の個別デザイン表記を具えたアパレル用品に関する種々のバリエーションを示す説明図である。
【図１０】本考案の個別デザイン表記を具えたアパレル用品に関する種々のバリエーションを示す説明図である。
【図１１】本考案の個別デザイン表記を具えたアパレル用品であるＴシャツを示した写真である。
【符号の説明】
【００３５】
Ｓ        製作システム
１        受注生産システム
１１      オーダーシステム
１１ａ    注文画面
１２      仕様情報データベース
１３      設定情報
１３ａ    表音漢字変換情報
１３ｂ    漢字辞書情報
１３ｃ    書体情報
１３ｄ    出力情報
１５      出力加工装置
１５ａ    シルクスクリーン印刷装置
２        発注システム
２０      パソコン
２１      ネットブラウザ
ｉ        個別情報
ｉ１      自己表示
ｉ２      発音記号
ｉ３      漢字選択傾向
Ｐ        個別デザイン表記
Ｐ１      漢字表示
Ｐ２      源言語表示
Ｐ３      キャプション
Ｐ４      マーク
Ｐ５      補足表示
Ｇ        商品
ｇ１      Ｔシャツ
ｇ２      ブルゾン
ｇ３      コート
ｇ４      スウェット
ｇ５      パンツ
ｇ６      アンダーウェア
ｇ７      スニーカー
ｇ８      ベースボールキャップ
ｇ９      バック
ｇ１０    キャディバック
ｇ１１    リング
ｇ１２    スタンプ
ｇ１３    ストラップ
ｇ１４    ワッペン
Ｎ        通信回線
Ｕ        ユーザー
【図１】
0003136719.tif 000003
【図２】
0003136719.tif 000004
【図３】
0003136719.tif 000005
【図４】
0003136719.tif 000006
【図５】
0003136719.tif 000007
【図６】
0003136719.tif 000008
【図７】
0003136719.tif 000009
【図８】
0003136719.tif 000010
【図９】
0003136719.tif 000011
【図１０】
0003136719.tif 000012
【図１１】
0003136719.tif 000013
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
商品本体の一部に、漢字が記された加飾部を具え、且つこの漢字は、ユーザー個人の要望に応じた漢字文化圏外における当該ユーザーの個人表示の表音当て字が選択されていることを特徴とする個別デザイン表記を具えたアパレル用品。
【請求項２】
前記商品本体は、ユーザー毎の発注に応じて、供給者が製作し提供するものであることを特徴とする請求項１記載の個別デザイン表記を具えたアパレル用品。
【請求項３】
前記ユーザーと供給者との間では、通信回線網を利用したコミュニケーションが図られ、ユーザーの登録に応じた漢字表記を供給者が提示し、表音当て字として使用する漢字が決定されることを特徴とする請求項１または２記載の個別デザイン表記を具えたアパレル用品。
【請求項４】
前記表音当て字として使用する漢字が決定される際に、更にその字体も決定されるものであることを特徴とする請求項１、２または３記載の個別デザイン表記を具えたアパレル用品。
【請求項５】
前記商品本体またはその包装体または同封品には、決定された漢字の意味が英語またはユーザーの希望する言語により表示されたキャプション表示がされていることを特徴とする請求項１記載の個別デザイン表記を具えたアパレル用品。
【請求項６】
前記キャプション表示は、商品本体の漢字における適宜の横行部位に沿って設けられていることを特徴とする請求項５記載の個別デザイン表記を具えたアパレル用品。
【手続補正２】
【補正対象書類名】明細書
【補正対象項目名】全文
【補正方法】変更
【補正の内容】
【考案の詳細な説明】
【技術分野】
【０００１】
本考案は、購買者の個々の要望に応じた漢字入りのデザインを施した衣服等に関するものである。
【背景技術】
【０００２】
近年、日本のアニメーションやビデオゲームなどのコンテンツ商品が世界規模で流通されるようになり、一定の評価がされて浸透している。このような状況の中、特に欧米をはじめ非漢字文化圏の若者を中心に、我が国のコンテンツ商品を連想させるとして漢字表記のデザインを施したＴシャツ等が流行しつつある。
目下のところ、これらは既存の漢字熟語等をプリントしたものにとどまっているが、一歩興味を進めて、自己（購買者自身）の姓名の発音が漢字表記し得ることに着眼した購買者にとっては、自らの個人名を漢字に置き換えたデザインを求めており、このような商品も種々企画されている。
【０００３】
しかしながら、多くは商業的採算もあって、一定の購買者数が予測される比較的ポピュラーな名前を選択し、その発音漢字を当てはめたプリントを施したものにとどまっている。
また、この種の漢字デザインを施した商品を求める購買者の嗜好としては、当然個性の発現を求めており、そうなると個々の独自性を兼ね備えた表記デザインを求める傾向となっている。
このようなものは、従来から商業的なものは存在せず、単に個人的な行為でＴシャツ等に日本人等がサインするいわば一品製作の感覚で表記する程度にとどまっていた。
【考案の開示】
【考案が解決しようとする課題】
【０００４】
本考案は、このような状況を考慮してなされたものであって、特に非漢字文化圏の言語を利用する個々の購買者と商品提供者との関係で名前を漢字に置き換えるにあたって、購買者独自のものを提案しながら選択できるようにしたものである。
【課題を解決するための手段】
【０００５】
請求項１記載の個別デザイン表記を具えたアパレル用品は、商品本体の一部に、漢字が記された加飾部を具え、且つこの漢字は、ユーザー個人の要望に応じた漢字文化圏外における当該ユーザーの個人表示の表音当て字が選択されていることを特徴として成るものである。
【０００６】
請求項２記載の個別デザイン表記を具えたアパレル用品は、前記要件に加え、前記商品本体については、ユーザー毎の発注に応じて、供給者が製作し提供するものであることを特徴として成るものである。
【０００７】
請求項３記載の個別デザイン表記を具えたアパレル用品は、前記要件に加え、前記ユーザーと供給者との間では、通信回線網を利用したコミュニケーションが図られ、ユーザーの登録に応じた漢字表記を供給者が提示し、表音当て字として使用する漢字が決定されることを特徴として成るものである。
【０００８】
請求項４記載の個別デザイン表記を具えたアパレル用品は、前記要件に加え、前記表音当て字として使用する漢字が決定される際に、更にその字体も決定されるものであることを特徴として成るものである。
【０００９】
請求項５記載の個別デザイン表記を具えたアパレル用品は、前記請求項１記載の要件に加え、前記商品本体またはその包装体または同封品には、決定された漢字の意味が英語またはユーザーの希望する言語により表示されたキャプション表示がされていることを特徴として成るものである。
【００１０】
請求項６記載の個別デザイン表記を具えたアパレル用品は、前記請求項５記載の要件に加えて、前記キャプション表示は、商品本体の漢字における適宜の横行部位に沿って設けられていることを特徴として成るものである。
【考案の効果】
【００１１】
まず請求項１記載の考案によれば、個人の名称の表音に因んだ漢字という異文化を適切に取り込んだファッションが得られ自己表現の一手法として用いることができる。
また日常的に用いられるものであることから、自己表現が容易に行うことができる。
【００１２】
また請求項２記載の考案によれば、特に自己の名称の表音に対応し、発音の近似する漢字を選択したものを用いて漢字表示を施すことができるので、極めて珍しい名称であったとしても漢字表記を生成することができるので、口頭で伝えることができる名称であれば漢字表示を施すことができる。
【００１３】
また請求項３記載の考案によれば、インターネット等を用いることによって、漢字文化圏でない外国の利用者であっても容易に本考案の個別デザイン表記を具えたアパレル用品を購入することができる。
【００１４】
また請求項４記載の考案によれば、漢字の書体を自由に選択することができるので、好みの個別デザイン表記を作成することができる。
【００１５】
また請求項５または６記載の考案によれば、漢字の意味内容が希望の言語で追記されていることから、漢字のデザインのみならず意味内容をも理解することができ、更なる自己表現が可能となる。
【考案を実施するための最良の形態】
【００１６】
本考案を実施するための最良の形態は、以下述べる実施例をその一つとするものであると共に、この技術思想に基づく種々の改良した実施例も含むものである。
【実施例】
【００１７】
以下、本考案を図示の実施例に基づいて具体的に説明する。
まず符号Ｓで示すものが、本考案である個別デザイン表記を具えたアパレル用品である商品Ｇを提供するためのシステムである。
このものは、本アパレル用品等の商品Ｇを製作し発送する受注生産者側である受注生産システム１と、このアパレル用品の仕様内容を決定して申し込みを行う発注者であるユーザー（購入者）側の発注システム２とを主な構成としてなる。
【００１８】
まずこの受注生産システム１には、図１に示すように後述する発注システム２からの要求に応じながら商品の受注内容を管理するオーダーシステム１１と、商品の受注仕様に関するデータを管理提供する仕様情報データベース１２と、確定した受注内容を希望の商品に対して表示加工するための出力加工装置１５と、加工済み商品を発送するための発送手段１６とにより構成されるものである。
このオーダーシステム１１は、離れた海外からの利用者を想定していることから一例としてインターネットなどの通信回線に接続されているものであって、通常のパソコン２０などの情報端末に具えられているネットブラウザ２１から閲覧操作が可能なＷｅｂ形式の注文用インターフェイスを提供する機能を有するものである。
【００１９】
このオーダーシステム１１のＷｅｂ形式の注文用インターフェイスである注文画面１１ａには、発注者であるユーザーＵに対し、仕様情報データベース１２より提供された加工態様を指定する設定情報１３と、この内容に応じて表示加工された場合の商品Ｇ予想図とを併せて表示できるようにしたものである。
一例として図３に示した注文画面１１ａによれば、ユーザーＵは、画面上に選択的に表示された設定情報１３と、これに応じた表示加工態様とを確認しながら表示加工内容の決定することができる。
この仕様情報データベース１２に管理されている設定情報１３には、例えば他の言語における発音とこれに近似する日本語の漢字とを関連付けた表音漢字変換情報１３ａや、変換した漢字の意味を他の言語に記した漢字辞書情報１３ｂや、漢字の表記の書体、大きさ、色を記した書体情報１３ｃや、配置位置や加工対象などを示す出力情報１３ｄが該当する。
また既存の技術であることから詳細な説明は省くが、受注生産システム１のオーダーシステム１１には電子メールの送受信機能を有しており、受注の確定内容等を発注者であるユーザーに対して通知するなどの連絡を行うことが可能である。
【００２０】
次に商品に個別デザイン表記Ｐを施すための出力加工装置１５について説明する。
このものは、オーダーシステム１１に記録されているユーザーＵが選択決定した設定情報１３の内容にしたがって未加工状態の商品Ｇに個別デザイン表記Ｐを施すものであり、この出力加工装置１５の一例としては、商品Ｇの形態に応じてシルクスクリーン印刷装置１５ａや、図示を省略するが刺繍加工装置、シート用プリント装置、彫刻装置、レーザ刻印装置、ショットブラスト加工装置などが該当する。なお、この出力加工装置１５が担う一部の出力加工（例えば漢字表記部分）を、より一品生産的な意味合いを強くさせるために人間による手作業で行っても差し支えない。ここで言う人間による手作業とは、一例として書道家などに直接商品に対して漢字表記を筆等により描くことや、後述する落款等を追加することなどである。
なおこれらの出力加工装置１５は、受け取った設定情報１３を符号化された信号としてそのまま受信入力し、出力加工を行うタイプのもののほかに、オペレーターが設定情報１３の内容に応じて出力加工装置１５の調整を行う手法を用いることも差し支えない。
【００２１】
次にユーザーＵ側の発注システム２について、主要なタイプのものについて説明する。
この発注システム２とは、前述した製作システムＳの受注生産システム１のオーダーシステム１１に対して双方向の通信が行えることを特徴とするものであって、その機能を有している機器であれば、その形態、規模などの差異があったとしても差し支えない。
なお本実施においては、現在のパソコン２０の普及状況を考慮し、このパソコン２０を利用した発注システム２について簡単に説明する。
まずこのタイプの発注システム２は、具体的にはパソコン２０がその機能を担うものである。そしてこのパソコン２０は、各種の通信回線Ｎ、接続事業者を用いてインターネットサービスの提供を受けられる環境におかれ、インターネット上で用いられる各種通信プロトコルに対応したいわゆるインターネットブラウザ（以下ネットブラウザ２１という）と呼ばれるアプリケーション、更には電子メール機能とを具えているものである。なおこれらの構成は、既存の技術であることから説明は省略する。
【００２２】
次にユーザーＵが求める商品Ｇについて説明する。
このものは、背景技術で触れたように自己のオリジナリティを発現させる意義を有することから、図９に示すようにＴシャツｇ１のほかにも、ブルゾンｇ２、コートｇ３、スウェットｇ４、パーカー、チノやデニムなどのパンツｇ５、アンダーウェアｇ６などの衣料品や、またスニーカーｇ７などの装飾品などが好ましい。
なお請求項の中に示される加飾部とは、これら商品Ｇの種類に応じて表示加工を行うことができる範囲を指し示すものである。
以上述べたものは、本考案のアパレル用品等の商品Ｇを製作するための製作システムＳであって、以下この製作システムＳの稼動態様を順次説明しながら、併せて個別デザイン表記Ｐを具えたアパレル用品等の商品Ｇについて説明する。
【００２３】
〔Ａ．受注生産システム１の準備ステップ〕
はじめに本考案の個別デザイン表記Ｐを具えたアパレル用品に関する表示加工に具えて各装置の設定を行う。
まず受注生産システム１の設定としては、注文の内容等を送信提供するためのアプリケーションの設定、通信環境の設定を適宜行い、インターネットを用いる場合であれば、Ｗｅｂサイトを立ち上げて、ユーザーＵが接続し、閲覧が行える状態にする。
更に仕様情報データベース１２については、ユーザーＵに提供のできる商品の表示加工に関する種々の設定情報１３を予め登録する。具体的には、利用できる漢字の書体や、利用できる表示手法（例えばシルクスクリーン印刷、刺繍、アイロン式パッチ、レーザ加工、ショットブラスト加工）や、文字の色、大きさ、レイアウトなどの情報などである。
なお製作システムＳを構成する各装置は、必ずしも一箇所に集約して設置する必要はなく、受注生産システム１から出力加工装置１５までが通信回線Ｎ等を用いて相互に通信可能な状態にあればそれぞれ異なる場所に設置していても差し支えない。
【００２４】
〔Ｂ．製作注文の受注ステップ〕
この製作注文の受注の方法に関しては、インターネット環境を用いる場合、ユーザーＵが自らパソコン２０を操作し、製作システムＳの受注生産システム１の提供するＷｅｂサイトに接続することから始まる。そして接続したユーザーＵは、順次希望の表示加工の詳細を選択決定する。一方、製作システムＳの受注生産システム１は、ユーザーＵから指定された種々の設定情報１３の結果を記録し、出力加工装置１５に対して、その内容を送信する。
【００２５】
以下、その一例として本実施例における具体的な手順を説明する。
まず図３に示すネットブラウザ２１に表示された受注生産システム１のオーダーシステム１１の注文画面１１ａによって、ユーザーＵ自らが表示加工商品、その個別デザイン表記Ｐの素材となる個別情報ｉを順次入力してゆく。この個別情報ｉとは、自国語における自己表示ｉ１、その表音を示す発音記号ｉ２、漢字に置き換える際の漢字選択傾向ｉ３（具体例は、女性らしい、優美、力強い、複雑な文字、簡素な文字など）などが含まれる。
受注生産システム１は、この入力された個別情報ｉに対して予め登録しておいた設定情報１３（表音漢字変換情報１３ａ、漢字辞書情報１３ｂ、書体情報１３ｃ、出力情報１３ｄ）から、それらの希望に適合した漢字を抽出し、注文画面に表示する。
この際、図３のように発音記号ｉ２に対応する漢字を表示するとともに、その漢字の意味内容を、仕様情報データベース１２の漢字辞書情報１３ｂから抽出し、ユーザーＵの用いる言語で表示する。
そしてユーザーＵは、これらの抽出され表示されている候補の漢字群から、その漢字の形態・イメージや、その意味内容を考慮しながら選択決定し、その表示加工の形態を指定する。表示加工の形態とは、請求項１でいう加飾部の形態であり、漢字表示Ｐ１、源言語表示Ｐ２についての文字の書体、配置、漢字の意味内容を示したキャプションＰ３の表示の有無、落款をモチーフにしたマークＰ４などにより構成され、この設定の内容が書体情報１３ｃ、出力情報１３ｄとして取り扱われる。なお源言語表示Ｐ２とは、主に変換元となる日本語以外の言語を示すものであるが、後述するように漢字表示Ｐ１の補助的な表示として用いる場合もある。
【００２６】
以下具体的な表示加工の種々の形態を図示しながら説明する。
まず図４に示すものは、出力情報１３ｄの要素の表示位置を異ならせたものであり、（ａ）は横書きタイプであり、（ｂ）は斜め書きタイプである。また図４（ｃ）は、一例としてＴシャツｇ１の表裏にわたって表示した両面タイプのものである。
また図５に示すものは、表示の一部である源言語表示Ｐ２の変換元の言語による個別表示を削除して、更に漢字を用いた補助的な表示とした源言語表示Ｐ２や、あるいは源言語における表音に即した平仮名を付記した源言語表示Ｐ２（図５（ａ））や、片仮名を付記した源言語表示Ｐ２（図５（ｂ））としても差し支えない。
なお受注生産システム１のオーダーシステム１１は、ユーザーＵが操作している際に、随時その選択決定された設定情報１３に対応した表示加工の完成予想状態を図３に示すように表示させることも好ましい。また商品と代金の受け渡しについては、通常はいわゆる通信販売と呼ばれる取引形態で行うことから、この受注ステップにおいて、商品の発送先、発送手段、支払い方法などの情報を併せて入力することが好ましく、この受注ステップで確定した内容についても、受注生産システム１の電子メール機能を用いて、ユーザーＵに対して通知するようにしても差し支えない。
【００２７】
〔Ｃ．表示加工ステップ〕
次に表示加工ステップは、前段の製作注文の受注ステップで決定された設定情報１３に基づいて、商品Ｇに対して個別デザイン表記Ｐを施すための作業を行う。
本実施例においては、受注生産システム１に記録された設定情報１３は、電気的信号の状態で出力加工装置１５に送られて、未加工状態の商品Ｇに対して表示加工がなされる。
【００２８】
〔Ｄ．発送精算ステップ〕
次に発送精算ステップは、加工表示された商品を発注したユーザーＵに対して発送作業を行うと共にその精算を行うものである。
なお発送手法は、上述した受注ステップで指定した方法で指定した住所に発送する。またユーザーＵは、予め指定した支払い方法でその商品代金を支払うこととなる。
【００２９】
〔他の実施例〕
本考案は以上述べた実施の形態を一つの基本的な技術思想とするものであるが、更に次のような改変が考えられる。
〔個別デザイン表記Ｐのバリエーション〕
上述の図１、２に示した基本的な実施例での個別デザイン表記Ｐのレイアウトのほか、図６に示すような種々のバリエーションも可能である。
例えば図６（ａ）（ｂ）に示すものは、表意文字である漢字を用いずに、日本文化特有の平仮名、片仮名を用いたものであり、図６（ｃ）（ｄ）に示すものは、漢字、平仮名、片仮名、多言語表記とを組合わせたものである。
更にまた図７に示す個別デザイン表記Ｐは、メッセージ性を高めるなどの補足表示Ｐ５を追加したものである。このほかの補足表示Ｐ５としては、表音記号、製品の製造番号などの生産管理表示などを用いることも差し支えない。
【００３０】
〔個別デザイン表記Ｐに用いられる漢字書体のバリエーション〕
また上述した実施例においては、その書体に関するデータは、予め仕様情報データベース１２内に登録されたものであり、図８に示すように種々の書体を用いた表示加工を施すことができる。
一方で予め登録されているデータを用いて個別デザイン表記Ｐを行っているために、その表現手法にも一定の限界がある。
そのため、更に独自性や創作性を高めるべく、個別デザイン表記Ｐの漢字を書道家によって漢字の構成部分を書き出されたものを組み合わせるように用いて、表示加工を施す手法も可能である。
また言うまでもないが、漢字平仮名、片仮名のほかに日本文化の特有でもあるいわゆる顔文字、アスキーアートなどを適用することも差し支えない。
また用いる漢字の書体の一例として、現在の漢字に関連し、その書体に象形的な要素を強く持つ亀甲獣骨文字やトンバ文字（東巴文字）を用いることも差し支えない。
【００３１】
〔個別デザイン表記Ｐを施す商品のバリエーション〕
更に上述した商品Ｇは、図９に示すように基本的に衣料や身装品を中心に述べてきたが、更に日常の身回り品などに個別デザイン表記Ｐを施すことも可能であることは言うまでもない。
具体的には、図１０（ａ）に示すベースボールキャップｇ８、（ｂ）に示すバックｇ９、（ｃ）に示すキャディバックｇ１０、（ｄ）に示すリングｇ１１、（ｅ）に示すスタンプｇ１２、（ｆ）に示すキーホルダーまたはストラップｇ１３、（ｇ）ワッペンｇ１４に示すなどの商品にも適用できる。更に図示は省略するが、ステッカー、バンダナ、扇子などの商品に個別デザイン表記Ｐを施すことが可能である。
【図面の簡単な説明】
【００３２】
【図１】本考案の個別デザイン表記を具えたアパレル用品を製作するシステムを概念的に示す説明図である。
【図２】本考案の個別デザイン表記を具えたアパレル用品のＴシャツを示す説明図、並びに漢字表示の意味を表しているキャプション表示を示した一部拡大図である。
【図３】本考案の個別デザイン表記を具えたアパレル用品の形態を示した説明図と、その製作の詳細内容について入力状態を説明する図である。
【図４】本考案の個別デザイン表記を具えたアパレル用品の表記に関する種々のバリエーションを示す平面図である。
【図５】本考案の個別デザイン表記に関する種々のバリエーションを示す平面図である。
【図６】本考案の個別デザイン表記に関する種々のバリエーションを示す平面図である。
【図７】本考案の個別デザイン表記にメッセージ性を含めた種々のバリエーションを示す平面図である。
【図８】本考案の個別デザイン表記の文字の書体に関する種々のバリエーションを示す平面図である。
【図９】本考案の個別デザイン表記を具えたアパレル用品に関する種々のバリエーションを示す説明図である。
【図１０】本考案の個別デザイン表記を具えたアパレル用品に関する種々のバリエーションを示す説明図である。
【図１１】本考案の個別デザイン表記を具えたアパレル用品であるＴシャツを示した写真である。
【符号の説明】
【００３３】
Ｓ        製作システム
１        受注生産システム
１１      オーダーシステム
１１ａ    注文画面
１２      仕様情報データベース
１３      設定情報
１３ａ    表音漢字変換情報
１３ｂ    漢字辞書情報
１３ｃ    書体情報
１３ｄ    出力情報
１５      出力加工装置
１５ａ    シルクスクリーン印刷装置
２        発注システム
２０      パソコン
２１      ネットブラウザ
ｉ        個別情報
ｉ１      自己表示
ｉ２      発音記号
ｉ３      漢字選択傾向
Ｐ        個別デザイン表記
Ｐ１      漢字表示
Ｐ２      源言語表示
Ｐ３      キャプション
Ｐ４      マーク
Ｐ５      補足表示
Ｇ        商品
ｇ１      Ｔシャツ
ｇ２      ブルゾン
ｇ３      コート
ｇ４      スウェット
ｇ５      パンツ
ｇ６      アンダーウェア
ｇ７      スニーカー
ｇ８      ベースボールキャップ
ｇ９      バック
ｇ１０    キャディバック
ｇ１１    リング
ｇ１２    スタンプ
ｇ１３    ストラップ
ｇ１４    ワッペン
Ｎ        通信回線
Ｕ        ユーザー